(57)【要約】【課題】水をコップ等の容器の中に注ぐ過程において、水がコップの外にこぼれない水筒を提供すること。【解決手段】本発明に係る水筒は、水を入れるための収容空洞部及び瓶口を備える瓶体と、王冠アセンブリと、収容凹所が設けられたカップ体と、を備える。王冠アセンブリは、瓶口を囲むように設置される王冠と、王冠に固定される当止部品と、王冠と当止部品との間に位置する球体と、当止部品と球体との間に圧縮されるように設けられる弾性部材と、を備え、前記王冠には、収容凹所と連通する貫通孔が設けられ、球体は、弾性部材の弾性力により駆動されて前記貫通孔を密封し、カップ体は、瓶体に解除可能にカバーされ且つ瓶口を覆い、カップ体が外力により瓶体に向けて移動される際に、前記カップ体は球体を推進して、前記貫通孔を露出させ、これにより、前記収容空洞部内の水は前記貫通孔を介してカップ体の収容凹所内に流入する。【選択図】図１
2013227078.tif 000002
【特許請求の範囲】
【請求項１】
水を入れるための収容空洞部及び瓶口を備える瓶体と、王冠アセンブリと、収容凹所が設けられたカップ体と、を備える水筒であって、
前記王冠アセンブリは、前記瓶口を囲むように設置される王冠と、前記王冠に固定される当止部品と、前記王冠と前記当止部品との間に位置する球体と、前記当止部品と前記球体との間に圧縮されるように設けられる弾性部材と、を備え、
前記王冠には、前記収容凹所と連通する貫通孔が設けられ、前記球体は、前記弾性部材の弾性力により駆動されて前記貫通孔を密封し、前記カップ体は、前記瓶体に解除可能にカバーされ且つ瓶口を覆い、
前記カップ体が外力により前記瓶体に向けて移動する際、前記カップ体は前記球体を推進して、前記貫通孔を露出させ、これにより、前記収容空洞部内の水は前記貫通孔を介して前記カップ体の収容凹所内に流入することを特徴とする水筒。
【請求項２】
前記王冠は、第一周壁及び前記第一周壁の一端に連接される底壁を備え、前記第一周壁及び前記底壁が取り囲むことで収容部が形成され、前記当止部品、前記球体及び前記弾性部材は、全て前記収容部内に装着され、前記第一周壁は、前記瓶口の周りを囲むように設けられ、前記貫通孔は、前記底壁に設けられることを特徴とする請求項１に記載の水筒。
【請求項３】
前記第一周壁の内部には、少なくとも２つのガイドレールが縦方向に沿って間隔をあけて設けられ、前記球体は、前記ガイドレールの間にスライド可能に設けられ、前記貫通孔は、前記ガイドレールの間に位置し、任意の相隣する２つのガイドレールの間には、水を通すための通路が形成されることを特徴とする請求項２に記載の水筒。
【請求項４】
前記当止部品は、第二周壁及び前記第二周壁の一端に連接される当止壁を備え、前記第二周壁の他端には、複数のスロットが設けられ、前記当止部品は、複数の前記スロットを介して前記王冠のガイドレールに固定され、前記当止壁は、複数の貫通孔を備え且つ前記弾性部材と互いに当接することを特徴とする請求項３に記載の水筒。
【請求項５】
前記瓶体の外周に固定される係止部品をさらに備え、前記係止部品は、弾性材料からなり、且つ対向して設けられる２つの係止アームを備え、各係止アームの他方側の係止アームに向かう側面には、第一位置決め凹溝及び第二位置決め凹溝が設けられ、
前記カップ体の一端には、フランジが設けられ、前記フランジを前記第一位置決め凹溝及び前記第二位置決め凹溝の内部に選択的に係合することにより、前記カップ体を前記瓶体の異なる位置に位置決めすることを特徴とする請求項１に記載の水筒。
【請求項６】
前記瓶体の外面における円周方向には、環状の固定凹溝が凹設され、前記係止部品は、前記固定凹溝の内部に係合される係止用リングをさらに備え、２つの前記係止アームは、前記係止用リングに設けられることを特徴とする請求項５に記載の水筒。
【請求項７】
前記係止用リングは、対向して位置する２つの係止部及び対向して設けられた２つの押圧部を備え、２つの前記係止部は、前記固定凹溝内に完全に係合され、前記押圧部は、前記瓶体と間隔をあけて設置されることを特徴とする請求項６に記載の水筒。
【発明の詳細な説明】
【技術分野】
【０００１】
本発明は、水筒に関するものである。
【背景技術】
【０００２】
日常生活において、人々は水を飲む際に、水をやかん、水筒などからコップの中に注ぐ。安定した環境下では、コップに注ぐ際、水はコップの外にこぼれることはない。しかし、揺れる環境下、例えば車に揺られながら上記の動作を行なえば、水はコップの外へこぼれ易い。
【発明の概要】
【発明が解決しようとする課題】
【０００３】
そこで、本発明は以上の問題点に鑑みてなされたものであり、水をコップ等の容器の中に注ぐ過程において、水がコップの外にこぼれない水筒を提供することを目的とする。
【課題を解決するための手段】
【０００４】
上記の課題を解決するために、本発明に係る水筒は、水を入れるための収容空洞部及び瓶口を備える瓶体と、王冠アセンブリと、収容凹所が設けられたカップ体と、を備える。王冠アセンブリは、瓶口を囲むように設置される王冠と、王冠に固定される当止部品と、王冠と当止部品との間に位置する球体と、当止部品と球体との間に圧縮されるように設けられる弾性部材と、を備え、前記王冠には、収容凹所と連通する貫通孔が設けられ、球体は、弾性部材の弾性力により駆動されて前記貫通孔を密封し、カップ体は、瓶体に解除可能にカバーされ且つ瓶口を覆い、カップ体が外力により瓶体に向けて移動される際に、前記カップ体は球体を推進して、前記貫通孔を露出させ、これにより、前記収容空洞部内の水は前記貫通孔を介してカップ体の収容凹所内に流入する。
【発明の効果】
【０００５】
従来の技術とは異なり、本発明に係る水筒は、水をコップ等の容器の中に注ぐ過程において、水は瓶体の中から前記容器により密封されている通路を介して、前記容器の中に流入するので、揺れる環境においても容器の外へこぼれることはない。また、本発明の水筒は、水を飲むためのカップ体を備えており、前記カップ体の中に適量な水を注いだ後、前記カップ体を水筒の瓶体から取り外すことができるので、水が外へこぼれることを確実に防止できると共に、使用に便利である。
【図面の簡単な説明】
【０００６】
【図１】本発明の実施形態に係る水筒を示す図である。
【図２】図１に示した水筒の分解図である。
【図３】図１に示した水筒のＩＩＩ−ＩＩＩ線に沿った断面図である。
【図４】図３に示した水筒の使用状態を示す図である。
【発明を実施するための形態】
【０００７】
図１ないし図３に示すように、本発明の実施形態に係る水筒１００は、瓶体１０と、カップ体２０と、王冠アセンブリ３０と、係止部品４０と、を備える。瓶体１０は、水を入れるための収容空洞部１２及び瓶口１４を備える。瓶体１０の外面には、環状の固定凹溝１６が瓶体１０の円周方向に沿って凹設されている。王冠アセンブリ３０は、瓶口１４に固定され、カップ体２０は、瓶口１４を覆うように設けられる。係止部品４０は、固定凹溝１６内に固定され、且つカップ体２０と互いに係合して、カップ体２０を瓶体１０に固定させる。
【０００８】
カップ体２０は、水を入れるための収容凹所２２を備える。また、カップ体２０の外面における収容凹所２２の開口に隣接する箇所には、フランジ２４が設けられている。
【０００９】
王冠アセンブリ３０は、王冠３２と、当止部品３４と、球体３６と、弾性部材３８と、を備える。王冠３２は、円筒状の第一周壁３２２と、第一周壁３２２の一端の開口を塞ぐように第一周壁３２２に連接される底壁３２４と、第一周壁３２２及び底壁３２４が取り囲んで形成された収容部３２６と、を備える。当止部品３４、球体３６及び弾性部材３８は、全て収容部３２６内に装着される。第一周壁３２２の内部には、少なくとも２つのガイドレール３２２２が縦方向に沿って間隔をあけて設けられている。ガイドレール３２２２は、球体３６の収容部３２６内でのスライドを案内する。任意の相隣する２つのガイドレール３２２２の間には、水を通すための通路３２２４が形成されている。また、底壁３２４には、貫通孔３２４２が設けられている。貫通孔３２４２は、ガイドレール３２２２の間に位置する。
【００１０】
当止部品３４は、円筒状の第二周壁３４２及び第二周壁３４２の一端に連接される当止壁３４４を備える。第二周壁３４２の他端には、複数のスロット３４２２が設けられている。ガイドレール３２２２をスロット３４２２に対応して係合することにより、当止部品３４を王冠３２に固定させることができる。当止壁３４４には、複数の貫通孔３４４２が設けられている。弾性部材３８は、当止壁３４４と球体３６との間に圧縮されるように装着される。球体３６は、弾性部材３８により駆動されて、貫通孔３２４２を密封し且つ底壁３２４に当接される。
【００１１】
係止部品４０は、弾性材料からなり、且つ係止用リング４２及びこの係止用リング４２の両側に対称的に設けられる２つの係止アーム４４を備える。係止用リング４２は、ほぼ楕円状であり、且つ対向して位置する２つの係止部４２２及び対向して設けられた２つの押圧部４２４を備える。２つの係止部４２２は、瓶体１０の固定凹溝１６内に完全に係合される。各押圧部４２４と瓶体１０との間には、間隙５０が形成される。２つの係止アーム４４は、２つの係止部４２２から係止アーム４４に対してそれぞれ垂直に延伸する。各係止アーム４４の他方側の係止アーム４４に向かう側面には、第一位置決め凹溝４４２及び第二位置決め凹溝４４４が設けられている。第一位置決め凹溝４４２は、係止用リング４２から離れた位置に設けられ、第二位置決め凹溝４４４は係止用リング４２に近い位置に設けられる。
【００１２】
本発明の水筒１００を組み立てる場合、以下のステップを行う。
【００１３】
先ず、王冠アセンブリ３０を組み立てる。具体的には、球体３６及び弾性部材３８を、王冠３２の収容部３２６内に順次に装着した後、ガイドレール３２２２をスロット３４２２に対応して係合することにより、当止部品３４を王冠３２に固定し、且つ弾性部材３８を、当止部品３４の当止壁３４４と球体３６との間に圧縮されるように設置させる。これにより、圧縮されている弾性部材３８は、球体３６に対して弾性力を提供して、球体３６を王冠３２の貫通孔３２４２を塞ぐように推進して、貫通孔３２４２を密封する。
【００１４】
次に、ネジ山或いは締め付けの方式により、王冠アセンブリ３０の第一周壁３２２によって、瓶体１０の瓶口１４の周りを囲むように、王冠アセンブリ３０を瓶口１４に固定させる。次いで、係止アーム４４が瓶口１４の方向に指すように、係止部品４０の係止用リング４２を瓶体１０の固定凹溝１６内に係合させる。
【００１５】
最後に、カップ体２０を、収容凹所２２を介して瓶体１０の瓶口１４が設けられた一端にカバーして、カップ体２０のフランジ２４を、係止アーム４４の第一位置決め凹溝４４２内に係合させる。これで、水筒１００の組み立ては完了する。
【００１６】
図４を併せて参照すると、本発明の水筒１００を使用して水を飲む場合、瓶体１０に向けてカップ体２０に外力を加えて（即ち、カップ体２０を下から上へ突き上げる）、カップ体２０のフランジ２４を第一位置決め凹溝４４２から離脱させる。引き続き外力を加えると、カップ体２０は、瓶体１０の外周に沿って移動し、フランジ２４は第二位置決め凹溝４４４内に係合される。カップ体２０が移動する過程において、カップ体２０の底壁は球体３６を突き上げるため、球体３６はガイドレール３２２２に沿って収容部３２６内に滑り込み、且つ弾性部材３８を圧縮する。これにより、球体３６と王冠３２の底壁３２４との間には、貫通孔３２４２と連通する隙間３５が形成されるようになる。この際、瓶体１０内の水は、当止部品３４の貫通孔３４４２、通路３２２４及び隙間３５を順次に通過して、カップ体２０内に流入する。
【００１７】
カップ体２０の中に適量の水を注いだ後、図１に示す矢印Ａ−Ａの方向に沿って、係止部品４０の２つの押圧部４２４を対向するように押圧することにより、係止アーム４４をカップ体２０のフランジ２４から離脱させる。この際、カップ体２０を瓶体１０から容易に抜くことができる。カップ体２０が取り外された後、圧縮された弾性部材３８は元の位置に復帰すると共に、球体３６を駆動して隙間３５及び貫通孔３２４２を密封させる。
【００１８】
上記の記載から分かるように、本発明の水筒１００によってカップ体２０に対して水を注ぐ場合、最初にカップ体２０を瓶体１０から取り外す必要はない。また、水は、カップ体２０の中に流入する過程において、瓶体１０の収容空洞部１２から、密封されている通路を介してカップ体２０に入るので、外へこぼれることはない。
【００１９】
勿論、本発明の水筒１００において、カップ体２０を取り外した後、王冠アセンブリ３０を取り外して、瓶口１４を介して直接に水を接取する或いは水を注ぐこともできる。
【００２０】
以上、本発明の好適な実施形態について詳細に説明したが、本発明は前記実施形態に限定されるものではなく、本発明の範囲内で種々の変形又は修正が可能であり、該変形又は修正も本発明の特許請求の範囲内に含まれるものであることは言うまでもない。
【符号の説明】
【００２１】
１０      瓶体
１２      収容空洞部
１４      瓶口
１６      固定凹溝
２０      カップ体
２２      収容凹所
２４      フランジ
３０      王冠アセンブリ
３２      王冠
３４      当止部品
３５      隙間
３６      球体
３８      弾性部材
４０      係止部品
４２      係止用リング
４４      係止アーム
５０      間隙
１００    水筒
３２２    第一周壁
３２４    底壁
３２６    収容部
３４２    第二周壁
３４４    当止壁
４２２    係止部
４２４    押圧部
４４２    第一位置決め凹溝
４４４    第二位置決め凹溝
３２２２  ガイドレール
３２２４  通路
３２４２  貫通孔
３４２２  スロット
３４４２  貫通孔
【図１】
2013227078.tif 000003
【図２】
2013227078.tif 000004
【図３】
2013227078.tif 000005
【図４】
2013227078.tif 000006